(57)【要約】      （修正有）【課題】安定性に欠ける様々な調理容器に対応して、前記調理容器が傾いたり倒れたりするのを防止する転倒防止具を提供する。【解決手段】中間部で枢支されて互いに回動可能に連結される一対のアーム部２で主体が構成され、前記一対のアーム部２の一端側がそれぞれ摘まみ部２１となると共に、他端側がそれぞれ上方に開口する調理容器８の上端縁を内外から挟持する挟持部２２となるバランスウェイト１である。【選択図】図１
0003154081.tif 000002
【実用新案登録請求の範囲】
【請求項１】
中間部で枢支されて互いに回動可能に連結される一対のアーム部で主体が構成され、前記一対のアーム部の一端側がそれぞれ摘まみ部となると共に、他端側がそれぞれ上方に開口する調理容器の上端縁を内外から挟持する挟持部となるバランスウェイトであることを特徴とする調理容器の転倒防止具。
【請求項２】
一対のアーム部からなるバランスウェイト本体に、重さ調節用の錘を着脱自在に装着してなることを特徴とする請求項１記載の調理容器の転倒防止具。
【請求項３】
台部と、台部から上方に突設される支柱部と、支柱部の上端に設けられ調理容器の把手を支持する支持部と、を備えた支持台であることを特徴とする調理容器の転倒防止具。
【請求項４】
支持部の台部からの高さを調節自在としてなることを特徴とする請求項３記載の調理容器の転倒防止具。
【考案の詳細な説明】
【技術分野】
【０００１】
本考案は、片手鍋等の安定性に欠ける調理容器が傾いたり倒れたりするのを防止する転倒防止具に関するものである。
【背景技術】
【０００２】
ガスコンロや電磁誘導加熱（ＩＨ）調理器等の加熱調理機器で調理をする際、鍋やフライパンといった調理容器を使用する。鍋等の調理容器は、形状や質量等、多種多様なものが存在し、中には片手鍋等のように非対称な形状をしていて、重心が調理容器の本体収容部の中心と一致しないものがあり、加熱部に載置した際に安定性を欠いて傾いたり倒れたりする惧れがあった。
【０００３】
このような安定性に欠ける調理容器を使用する場合、調理容器が傾いたり倒れたりしないように調理者が常時支えなければならず、調理者は調理容器を支えながら他の作業を行うこととなって作業が行い難くなり、調理作業の効率が下がってしまう。また、万一このような安定性に欠ける調理容器が傾いたり倒れたりすると、内容物がこぼれ、調理者や調理器具や周囲の建具等を汚損、損傷等させてしまう惧れがあった。
【０００４】
調理容器の転倒を防止するものとしては、例えば特許文献１に、転倒防止用支持脚を備えた鍋が開示されているが、調理容器（すなわち鍋）自体に転倒防止用支持脚を設けるものであり、様々な調理容器に対応することができないものであった。
【先行技術文献】
【特許文献】
【０００５】
【特許文献１】特開平９−２８５５８号公報
【考案の概要】
【考案が解決しようとする課題】
【０００６】
本考案は上記従来の問題点に鑑みて考案したものであって、その目的とするところは、安定性に欠ける様々な調理容器に対応して、前記調理容器が傾いたり倒れたりするのを防止する転倒防止具を提供することを課題とするものである。
【課題を解決するための手段】
【０００７】
上記課題を解決するために、請求項１記載の調理容器の転倒防止具は、中間部で枢支されて互いに回動可能に連結される一対のアーム部２で主体が構成され、前記一対のアーム部２の一端側がそれぞれ摘まみ部２１となると共に、他端側がそれぞれ上方に開口する調理容器８の上端縁を内外から挟持する挟持部２２となるバランスウェイト１であることを特徴とする。
【０００８】
バランスウェイト１を、調理容器８の上端部の適当な位置に取り付けることで、調理容器８を傾かせようとするモーメントを概ね打ち消すことができて、調理容器８が傾いたり倒れたりするのを防止することができる。様々な調理容器８に対応することができる。
【０００９】
また、請求項２に記載の考案は、請求項１記載の考案において、一対のアーム部２からなるバランスウェイト１本体に、重さ調節用の錘３を着脱自在に装着してなることを特徴とする。
【００１０】
調理容器８のバランスを取るために必要な重さに応じて、重さ調節用の錘３を装着してバランスウェイト１全体の重さを調節することで、より一層多くの調理容器８に対応することができる。
【００１１】
また、請求項３記載の調理容器の転倒防止具は、台部５と、台部５から上方に突設される支柱部６と、支柱部６の上端に設けられ調理容器８の把手８１を支持する支持部７と、を備えた支持台４であることを特徴とする。
【００１２】
把手８１を支持することで、把手８１の重量により把手８１が下降して調理容器８が傾いたり倒れたりしまうのを防止することができる。
【００１３】
また、請求項４に記載の考案は、請求項３記載の考案において、支持部７の台部５からの高さを調節自在としてなることを特徴とする。
【００１４】
把手８１の高さが異なる様々な調理容器８に対応することができる。
【考案の効果】
【００１５】
本考案にあっては、安定性に欠ける様々な調理容器に対応して、前記調理容器が傾いたり倒れたりするのを防止することができて、調理容器の内容物がこぼれ、調理者や調理器具や周囲の建具等を汚損、損傷等させてしまうのを防止することができる。
【図面の簡単な説明】
【００１６】
【図１】本考案の第１の実施形態の一例のバランスウェイトが取り付けられ、ガスコンロに載置された調理容器の全体斜視図である。
【図２】同上のバランスウェイトを分解した側面図である。
【図３】他例のバランスウェイト本体を示し、（ａ）は被着アーム部側の正面図であり、（ｂ）は側面図であり、（ｃ）は（ａ）と反対側の正面図であり、（ｄ）は斜視図である。
【図４】同上の重さ調節用の錘を示し、（ａ）は切欠が形成された側の正面図であり、（ｂ）は側面図であり、（ｃ）は斜視図である。
【図５】同上において、重さ調節用の錘が装着されたバランスウェイトを調理容器の上端部に取り付けた状態を示し、（ａ）は調理容器の外側に位置するアーム部側から見た斜視図であり、（ｂ）は調理容器の内側に位置するアーム部側から見た斜視図であり、（ｃ）は断面図である。
【図６】第２の実施形態の支持台により把手が支持され、ガスコンロに載置された調理容器の全体斜視図である。
【図７】同上の支持台の斜視図である。
【考案を実施するための形態】
【００１７】
本考案の転倒防止具が適用される調理容器８は、安定性に欠けるものが対象となる。第１の実施形態では、鍋やフライパン等のように上方に開口する調理容器８を対象とするものであり、第２の実施形態では、周方向の一部に把手８１が付いているために安定性を欠く調理容器８を対象とするものである。
［第１の実施形態］
第１の実施形態の転倒防止具は、調理容器８に取り付けられるバランスウェイト１（釣合い錘）である。図１、図２にバランスウェイト１の一例を示し、図３乃至図５にバランスウェイト１の他例を示す。
【００１８】
図１、図３等に示すように、バランスウェイト１は所謂クリップ状をしたもので、中間部に設けられた枢支部２３で枢支されて互いに回動可能に連結される、一対のアーム部２で主体が構成される。アーム部２の材質は特に限定されないが、耐熱性（概ね１００℃）を備えると共に比重が大きい方が好ましく、金属が好適であり、陶器や合成樹脂やその他の材質でもよい。
【００１９】
一対のアーム部２は、一端側がそれぞれ摘まみ部２１となると共に、他端側がそれぞれ挟持部２２となるもので、両摘まみ部２１を摘まんで力を加えると両挟持部２２間が開き、摘まみ部２１に加えた力をなくすと、ばね等の復元手段（図示せず）により両摘まみ部２１間が開き、両挟持部２２が当接又は近接する。
【００２０】
両挟持部２２は、調理容器８の上端縁を内外から挟持するもので、本例では摘まみ部２１に力を加えない時に両挟持部２２が当接するが、必ずしも当接しなくてもよく、少なくとも最も近接した時の両挟持部２２間の距離が調理容器８の厚みよりも短ければよい。
【００２１】
このバランスウェイト１は、安定性を欠いた調理容器８の上方に回動しようとする部分に取り付けて、調理容器８を傾かせようとする回転モーメントと逆向きで大きさが同じか近い回転モーメントをかけることで、傾かせようとする回転モーメントを概ね打ち消すことができ、調理容器８が傾いたり倒れたりするのを防止することができる。本例では、調理容器８は図１に示すような片手鍋であり、平面視において把手８１が取り付けられている部分と反対側の部分にバランスウェイト１が取り付けられる。なお、本例における加熱調理機器はガスコンロであり、図１中の符号９１はガスバーナであり、符号９２はごとくである。
【００２２】
また、バランスウェイト１には、適宜、重さ調節用の錘３が着脱自在に装着される。
【００２３】
図１、図２に示す例においては、一方のアーム部２の摘まみ部２１を含む部分をアーム部本体２０に対して着脱自在な別部材とし、この別部材を重さ調節用の錘３としている。アーム部本体２０の摘まみ部２１側の端部にはネジ２４が突設してあると共に、重さ調節用の錘３の端部には前記ネジ２４が螺入可能なネジ孔３１が螺設してあり、前記ネジ２４をネジ孔３１に螺進させることで重さ調節用の錘３をアーム部本体２０に装着し、ネジ２４をネジ孔３１から螺退させることで重さ調節用の錘３をアーム部本体２０から離脱させる。なお、本実施形態ではアーム部本体２０にネジ２４が突設してあると共に重さ調節用の錘３にネジ孔３１が螺設してあるが、アーム部本体２０にネジ孔を螺設すると共に、重さ調節用の錘３にネジを突設してもよい。
【００２４】
重さ調節用の錘３は、重さの異なる複数種類（図２に示すように４種類の錘３ａ〜３ｄ）を用意しておき、調理容器８のバランスを取るために必要な重さに応じて、適する重さ調節用の錘３ａ〜３ｄを選択して、アーム部本体２０に装着する。これにより、様々な調理容器８に対応することができる。
【００２５】
また、図３乃至図５に示す例においては、バランスウェイト１本体となる一対のアーム部２に、別体の重さ調節用の錘３を着脱自在に追加して装着するものである。本例では、一対のアーム部２及び重さ調節用の錘３がアルミニウム合金（例えばＡ２０１７）で形成してあり、重さ調節用の錘３が装着される一方のアーム部２（以下、「被着アーム部２ａ」という）と重さ調節用の錘３とに磁石２５、３２を埋設し、磁石２５、３２の磁力により重さ調節用の錘３を被着アーム部２ａに固定する。なお、前記磁石２５、３２の一方を磁石の代わりに鉄等の磁性体としてもよく、また、被着アーム部２ａ又は重さ調節用の錘３を磁性体で形成すれば、磁石２５、３２の一方を設けなくてもよい。磁石２５、３２により重さ調節用の錘３を被着アーム部２ａに固定することで、重さ調節用の錘３を装着するには、重さ調節用の錘３と被着アーム部２ａとを近づければよく、重さ調節用の錘３を離脱させるには、重さ調節用の錘３と被着アーム部２ａとを引き離せばよく、図１、図２に示す例のようにネジ２４を螺合させることが不要で、着脱が容易となる。
【００２６】
この図３乃至図５に示す例では、被着アーム部２ａは略直方体状をしており、また重さ調節用の錘３は、被着アーム部２ａよりも大きな略直方体状をしていて、被着アーム部２ａと略同じ形状をした切欠３３が形成してある。重さ調節用の錘３は、前記切欠３３を被着アーム部２ａに被嵌して装着することで、切欠３３に被着アーム部２ａが収容されて被着アーム部２ａ及び重さ調節用の錘３全体が略直方体状となる。これにより、バランスウェイト１本体のみを使用する時のみならず、重さ調節用の錘３を被着アーム部２ａに装着した時でも、特に突出するような部分がなく、見栄えがよい。
【００２７】
また本例では図５に示すように、アーム部２に、調理容器８の上端部に突条８２が形成されている場合に該突条８２を逃がすための逃がし凹所２６が切欠して形成してある。突条８２は、調理容器８の上端部の外面に周方向に形成されるもので、調理容器８によって突出高さは異なるがせいぜい１０ｍｍ以下であるため、これに合わせて逃がし凹所２６の深さも１０ｍｍ以下としてある。これにより、挟持部２２が調理容器８の突条８２に乗り上げた状態で挟持して取り付けが不安定となるのを回避することができ、また、逃がし凹所２６内に突条８２が収容されて調理容器８からのアーム部２の抜け止めにもなる。
［第２の実施形態］
第２の実施形態では、図６に示すように、周方向の一部に把手８１が付いているために安定性を欠く調理容器８が対象となるもので、本実施形態の転倒防止具は、図６、図７に示すように、調理容器８の把手８１を支持する支持台４である。
【００２８】
支持台４は、台部５と、台部５から上方に突設される支柱部６と、支柱部６の上端に設けられる支持部７と、を備えている。
【００２９】
支柱部６は、複数の筒状部材６１〜６４を軸方向を上下方向として入れ子状に配置し、内外に隣接する内側の筒状部材６２、筒状部材６３、筒状部材６４を外側の筒状部材６１（筒状部材６２に対応）、筒状部材６２（筒状部材６３に対応）、筒状部材６３（筒状部材６４に対応）に対して上下動自在にしたものである。内外に隣接する外側の筒状部材６１〜６３には、内側の筒状部材６２〜６４が上方に所定の距離を移動した時にそれ以上の上方への移動を規制するストッパー（図示せず）が設けてあり、内側の筒状部材６２〜６４の外側の筒状部材６１〜６３からの抜け止めがなされている。また、内外に隣接する二つの筒状部材６１と６２、筒状部材６２と６３のうち外側の筒状部材６１、６２の上端部の近傍にネジ孔（図示せず）が螺設してあると共に、前記ネジ孔に内側の筒状部材６２、６３の外面を押さえる固定ネジ６１ａ、６２ａが螺合させてあり、外側の筒状部材６１、６２から内側の筒状部材６２、６３を所望の高さ突出させ、固定ネジ６１ａ、６２ａをネジ孔に螺進させて内側の筒状部材６２、６３の外面を押さえ付けて、内側の筒状部材６２、６３を外側の筒状部材６１、６２に対して位置固定する。このようにして、支柱部６の台部５からの突出高さを調節自在としている。
【００３０】
一番上の筒状部材６４の上端部には支持部７が固定してある。また一番上の筒状部材６４内には、支持部７を上方に付勢する付勢手段６５としてのばねが内装してある。ばねは、下端部が上から二番目の筒状部材６３に固定され、上端部が一番上の筒状部材６４の上端部を上方に付勢していて、一番上の筒状部材６４を介して支持部７を上方に付勢している。
【００３１】
支持部７は、上面が調理容器８の把手８１を受けて支持する受け面となるもので、本実施形態では受け面を上方に凹となる形状とし、受け面の底部付近で把手８１を支持することで、把手８１が側方に移動して受け面から脱落するのを防止している。
【００３２】
本実施形態においては、把手８１が重量により下降して調理容器８が傾いたり倒れてしまうのを、把手８１を支持して下降を阻止することで防止するものである。
【００３３】
また、調理容器８をごとく９２上に載置した時の把手８１の高さは調理容器８によって異なるが、支持部７の台部５からの高さを調節自在としているため、把手８１の高さの異なる様々な調理容器８に対応することができる。また、支持部７を上方に付勢する付勢手段６５を設けたことで、支持部７の台部５からの高さを厳密に調節しなくても、支持部７の受け面の底部の高さを、把手８１の高さから該把手８１の高さよりも若干高めまでの範囲内に設定することで、調理容器８が傾かないように把手８１を支持することができるため、高さの調節が容易となる。
【符号の説明】
【００３４】
１    バランスウェイト
２    アーム部
２０  アーム部本体
２１  摘まみ部
２２  挟持部
２３  枢支部
２４  ネジ
２５  磁石
２６  逃がし凹所
３    重さ調節用の錘
３１  ネジ孔
３２  磁石
３３  切欠
４    支持台
５    台部
６    支柱部
６１〜６４  筒状部材
６５  付勢手段
７    支持部
８    調理容器
８０  本体収容部
８１  把手
８２  突条
９１  バーナ
９２  ごとく
【図１】
0003154081.tif 000003
【図２】
0003154081.tif 000004
【図３】
0003154081.tif 000005
【図４】
0003154081.tif 000006
【図５】
0003154081.tif 000007
【図６】
0003154081.tif 000008
【図７】
0003154081.tif 000009
【手続補正書】
【提出日】平成21年7月27日(2009.7.27)
【手続補正１】
【補正対象書類名】明細書
【補正対象項目名】００１１
【補正方法】削除
【補正の内容】
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】変更
【補正の内容】
【００１６】
【図１】本考案の一実施形態の一例のバランスウェイトが取り付けられ、ガスコンロに載置された調理容器の全体斜視図である。
【図２】同上のバランスウェイトを分解した側面図である。
【図３】他例のバランスウェイト本体を示し、（ａ）は被着アーム部側の正面図であり、（ｂ）は側面図であり、（ｃ）は（ａ）と反対側の正面図であり、（ｄ）は斜視図である。
【図４】同上の重さ調節用の錘を示し、（ａ）は切欠が形成された側の正面図であり、（ｂ）は側面図であり、（ｃ）は斜視図である。
【図５】同上において、重さ調節用の錘が装着されたバランスウェイトを調理容器の上端部に取り付けた状態を示し、（ａ）は調理容器の外側に位置するアーム部側から見た斜視図であり、（ｂ）は調理容器の内側に位置するアーム部側から見た斜視図であり、（ｃ）は断面図である。
【手続補正６】
【補正対象書類名】明細書
【補正対象項目名】００１７
【補正方法】変更
【補正の内容】
【００１７】
本考案の転倒防止具が適用される調理容器８は、鍋やフライパン等のように上方に開口して安定性に欠けるものが対象となる。
転倒防止具は、調理容器８に取り付けられるバランスウェイト１（釣合い錘）である。図１、図２にバランスウェイト１の一例を示し、図３乃至図５にバランスウェイト１の他例を示す。
【手続補正７】
【補正対象書類名】明細書
【補正対象項目名】００２７
【補正方法】変更
【補正の内容】
【００２７】
また本例では図５に示すように、アーム部２に、調理容器８の上端部に突条８２が形成されている場合に該突条８２を逃がすための逃がし凹所２６が切欠して形成してある。突条８２は、調理容器８の上端部の外面に周方向に形成されるもので、調理容器８によって突出高さは異なるがせいぜい１０ｍｍ以下であるため、これに合わせて逃がし凹所２６の深さも１０ｍｍ以下としてある。これにより、挟持部２２が調理容器８の突条８２に乗り上げた状態で挟持して取り付けが不安定となるのを回避することができ、また、逃がし凹所２６内に突条８２が収容されて調理容器８からのアーム部２の抜け止めにもなる。
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
１    バランスウェイト
２    アーム部
２０  アーム部本体
２１  摘まみ部
２２  挟持部
２３  枢支部
２４  ネジ
２５  磁石
２６  逃がし凹所
３    重さ調節用の錘
３１  ネジ孔
３２  磁石
３３  切欠
８    調理容器
８０  本体収容部
８１  把手
８２  突条
９１  バーナ
９２  ごとく
【手続補正１５】
【補正対象書類名】実用新案登録請求の範囲
【補正対象項目名】全文
【補正方法】変更
【補正の内容】
【実用新案登録請求の範囲】
【請求項１】
中間部で枢支されて互いに回動可能に連結される一対のアーム部で主体が構成され、前記一対のアーム部の一端側がそれぞれ摘まみ部となると共に、他端側がそれぞれ上方に開口する調理容器の上端縁を内外から挟持する挟持部となるバランスウェイトであることを特徴とする調理容器の転倒防止具。
【請求項２】
一対のアーム部からなるバランスウェイト本体に、重さ調節用の錘を着脱自在に装着してなることを特徴とする請求項１記載の調理容器の転倒防止具。
【手続補正１６】
【補正対象書類名】図面
【補正対象項目名】図６
【補正方法】削除
【補正の内容】
【手続補正１７】
【補正対象書類名】図面
【補正対象項目名】図７
【補正方法】削除
【補正の内容】